(57)【特許請求の範囲】
【請求項１】
洗面化粧台本体と、
この洗面化粧台本体に配置され、排水口が形成された洗面ボウルと、
この洗面化粧台本体の洗面ボウルの上方に設けられた水栓であって、ホース部と、このホース部の前端部に接続され、上記ホース部が上記洗面化粧台本体に収納された収納位置から前方に引き出された引き出し位置まで上記ホース部と共に引き出し可能な吐水部と、を備えた上記水栓と、
この洗面化粧台本体に設けられ、上記収納位置においてホース部を収納するホース収納部と、このホース収納部の下部に形成されこのホース収納部内で受けた水を排水する水受け排水部と、を備えたホース収納水受け排水手段と、
上記洗面ボウルの上記排水口に接続され、この排水口から洗面化粧台本体の外部へ排水する洗面ボウル排水路と、
上記水受け排水部からの排水を上記洗面ボウル排水路に導くホース排水路と、
を有し、上記ホース排水路の上端開口部は、その内周面と上記ホース収納水受け排水手段の水受け排水部の外周面との間に隙間が形成されていることを特徴とする洗面化粧台。
【請求項２】
洗面化粧台本体と、
この洗面化粧台本体に配置され、排水口が形成された洗面ボウルと、
この洗面化粧台本体の洗面ボウルの上方に設けられた水栓であって、ホース部と、このホース部の前端部に接続され、上記ホース部が上記洗面化粧台本体に収納された収納位置から前方に引き出された引き出し位置まで上記ホース部と共に引き出し可能な吐水部と、を備えた上記水栓と、
この洗面化粧台本体に設けられ、上記収納位置においてホース部を収納するホース収納部と、このホース収納部の下部に形成されこのホース収納部内で受けた水を排水する水受け排水部と、を備えたホース収納水受け排水手段と、
上記洗面ボウルの上記排水口に接続され、この排水口から洗面化粧台本体の外部へ排水する洗面ボウル排水路と、
上記水受け排水部からの排水を上記洗面ボウル排水路に導くホース排水路と、
を有し、上記ホース排水路の上端開口部は、これと対向する上記ホース収納水受け排水手段の水受け排水部の下面から離間していることを特徴とする洗面化粧台。
【請求項３】
上記洗面ボウルは、上記排水口より所定上方位置に取り付けられ、排水をオーバーフローさせて上記ボウル内の水位を所定上方位置以下とするオーバーフロー口を備え、上記ホース排水路は、その下端が上記オーバーフロー口と上記洗面ボウル排水路を接続するオーバーフロー排水路に接続されている請求項１又は２に記載の洗面化粧台。
【請求項４】
上記ホース収納水受け排水手段の水受け排水部は、その下端部が下方に突出して上記ホース排水路の上端開口部内に挿入される請求項１乃至３の何れか１項に記載の洗面化粧台。
【請求項５】
上記ホース排水路の上端開口部は、上記洗面ボウルの上面よりも上方に位置している請求項１乃至４の何れか１項に記載の洗面化粧台。
【請求項６】
上記ホース収納水受け排水手段は、上記オーバーフロー口よりも上方に位置する請求項１乃至５の何れか１項に記載の洗面化粧台。
【発明の詳細な説明】
【技術分野】
【０００１】
本発明は、洗面化粧台に係り、特に、ホースと共に引出し可能な吐水部を有する水栓を備えた洗面化粧台に関する。
【背景技術】
【０００２】
従来から、例えば、特許文献１に記載されているように、洗面ボウルの背面側上方に設置された壁面にシャワー水栓が設けられ、吐水部であるシャワーヘッドがシャワー水栓本体から洗面ボウル側に引き出し可能になって取り付けられている洗面化粧台が知られている。このような従来の洗面化粧台においては、壁面の裏側にシャワーホースが収納されるトレイが設けられている。また、シャワーホースが収納された状態のトレイは、シャワーヘッドが引き出されて吐水が行われているときにシャワーホースに付着した水滴やシャワーホースを伝わってトレイ内に入り込んだ水を受けるようになっており、トレイ内に溜まった水は、トレイの下部に接続されている排水ホースを流れて洗面化粧台の外部へ排水されるようになっている。
また、特許文献２に記載されている洗面化粧台では、洗面化粧台本体に引き出し可能に取り付けられたシャワーヘッドのシャワーホースに付着する水滴の排水対策として、洗面ボウルの主排水口と洗面ボウル内の水位が所定以上の水位になると水を流出させて水位を制限するオーバーフロー口とを連通する連通室を洗面ボウルの背面側に一体的に形成し、この連通室内にシャワーホースを収納できるようにしたものも知られている。
【０００３】
【特許文献１】特開２００４−２５５０２８号公報
【特許文献２】実開昭６２−８１６７５号公報
【発明の開示】
【発明が解決しようとする課題】
【０００４】
しかしながら、上述した特許文献１に記載されている従来の洗面化粧台では、トレイ内に溜まった水を排水ホースで排水する際にその都度、例えば、洗面化粧台本体の下部に位置するキャビネットのスペースを利用して排水ホースを洗面化粧台本体の外部に引き出して別の容器内に排水させなければならず、排水のメンテナンスが面倒であるという問題がある。また、トレイと洗面化粧台本体を組み付ける施工時等の際、トレイと排水ホースが液密に接続されているため、排水ホースが洗面化粧台本体の外部に引き出しやすい位置にトレイを配置するようにする等、トレイや排水ホースの配置が制限され、施工が面倒であるという問題がある。
さらに、上述した特許文献２に記載されている従来の洗面化粧台では、連通室内にシャワーホースが収納されている状態でオーバーフロー口から排水されると、この排水によってシャワーホースが濡れたままの状態になってしまうという問題がある。また、連通室の一部にはシャワーヘッドを出し入れにともなってシャワーホースが通過できる孔が形成されおり、連通室内のオーバーフローの排水性能を維持するための通気孔としての役割を果たしているが、シャワーホースが連通室に収納された状態では、この通気孔がシャワーヘッドによって塞がれてしまうためオーバーフローの排水性能を維持することが難しいという問題がある。
【０００５】
そこで、本発明は、上述した従来技術の問題を解決するためになされたものであり、洗面化粧台本体の一部に収納されるシャワーホースに付着した水滴を洗面化粧台本体の外部に容易に排水することができる洗面化粧台を提供することを目的としている。
また、本発明は、シャワーホースに付着した水滴を洗面化粧台本体の外部に排水する排水路に要する設置スペースを小さく設定することができる洗面化粧台を提供することを目的としている。
さらに、本発明は、洗面化粧台本体の組み付け施工を容易にする洗面化粧台を提供することを目的としている。
また、本発明は、シャワーホース収納時においても洗面ボウルのオーバーフロー口からの排水の性能を維持する洗面化粧台を提供することを目的としている。
【課題を解決するための手段】
【０００６】
上記の目的を達成するために、本発明は、洗面化粧台本体と、この洗面化粧台本体に配置され、排水口が形成された洗面ボウルと、この洗面化粧台本体の洗面ボウルの上方に設けられた水栓であって、ホース部と、このホース部の前端部に接続され、上記ホース部が上記洗面化粧台本体に収納された収納位置から前方に引き出された引き出し位置まで上記ホース部と共に引き出し可能な吐水部と、を備えた上記水栓と、
この洗面化粧台本体に設けられ、上記収納位置においてホース部を収納するホース収納部と、このホース収納部の下部に形成されこのホース収納部内で受けた水を排水する水受け排水部と、を備えたホース収納水受け排水手段と、上記洗面ボウルの上記排水口に接続され、この排水口から洗面化粧台本体の外部へ排水する洗面ボウル排水路と、上記水受け排水部からの排水を上記洗面ボウル排水路に導くホース排水路と、を有することを特徴としている。
このように構成された本発明の洗面化粧台においては、水栓の吐水部から吐水を行った後、ホース部がホース収納水受け排水手段のホース収納水受け部に収納されると、ホース部の表面に付着している水は、ホース収納水受け部内で受けられて水受け排水部から排水される。また、水受け排水部から排水された排水は、ホース排水路から洗面ボウル排水路に排水され、洗面化粧台の外部へ排水される。したがって、ホース収納水受け排水手段のホース収納部内で受けた水は、ホース収納水受け排水手段に関するメンテナンスを行うことなく、水受け排水部から洗面ボウル排水路に排水され、洗面化粧台の外部へ容易に排水させることができる。
【０００７】
本発明において、洗面ボウルは、排水口より所定上方位置に取り付けられ、排水をオーバーフローさせて上記ボウル内の水位を所定上方位置以下とするオーバーフロー口を備え、ホース排水路は、その下端がオーバーフロー口と洗面ボウル排水路を接続するオーバーフロー排水路に接続されていることが好ましい。
このように構成された本発明の洗面化粧台においては、ホース排水路の下端がオーバーフロー口と洗面ボウル排水路を接続するオーバーフロー排水路に接続されているため、ホース排水路から排水された水はオーバーフロー排水路を利用して排水させることができ、これら排水路に要する設置スペースを小さく設定することができる。
【０００８】
本発明において、ホース収納水受け排水手段の水受け排水部は、その下端部が下方に突出してホース排水路の上端開口部内に挿入されることが好ましい。
このように構成された本発明の洗面化粧台においては、ホース収納水受け排水手段の水受け排水部の下端部が下方に突出してホース排水路の上端開口部内挿入されているため、ホース収納水受け排水手段のホース収納部内で受けた水を水受け排水部からホース排水路に確実に排水させることができる。
【０００９】
本発明において、ホース排水路の上端開口部は、その内周面と上記水受け排水部の外周面との間に隙間が形成されていることが好ましい。
このように構成された本発明の洗面化粧台においては、ホース排水路の上端開口部の内周面と水受け排水部の外周面との間に隙間が形成されているため、ホース収納水受け排水手段の水受け排水部とホース排水路の上端開口部との組み付け施工の際に、ホース排水路の上端開口部にホース収納水受け排水手段の水受け排水部を容易に挿入して接続することができ、施工が容易となる。また、オーバーフロー口から流出する水がオーバーフロー排水路で排水される際に、このオーバーフロー排水路の排水の流れによって生ずる流路内の圧力変化により、ホース排水路の上端開口部の内周面と水受け排水部の外周面との間の隙間からオーバーフロー排水路に向けて空気が流入しやすくなるため、オーバーフロー口から排水される水に対するオーバーフロー排水路の排水性能を維持することができる。
【００１０】
本発明において、ホース排水路の上端開口部は、洗面ボウルの上面よりも上方に位置していることが好ましい。
このように構成された本発明の洗面化粧台においては、洗面ボウル内に吐水される流量がオーバーフロー口から排水されるオーバーフロー排水路の排水量を大きく上回り、オーバーフロー排水路が満水状態となっても、ホース排水路の上端開口部が洗面ボウルの上面よりも上方に位置しているため、ホース排水路の上端開口部付近まで水位が達する前に洗面ボウルからの水漏れを確認することができる。また、ホース排水路の周囲や洗面化粧台本体の内部が水浸しになるの防ぐことができる。
【００１１】
本発明において、ホース排水路の上端開口部は、これと対向する水受け排水部が形成されたホース収納水受け部の下面から離間していることが好ましい。
このように構成された本発明の洗面化粧台においては、ホース排水路の上端開口部が、これと対向する水受け排水部が形成されたホース収納水受け部の下面から離間しているため、ホース収納水受け排水手段の水受け排水部とホース排水路の上端開口部との組み付け施工の際に、ホース排水路の上端開口部と水受け排水部の相対位置を容易に調整することができ、施工が容易となる。また、オーバーフロー口から流出する水がオーバーフロー排水路で排水される際に、このオーバーフロー排水路の排水の流れによって生ずる流路内の圧力変化により、ホース排水路の上端開口部とホース収納水受け部の下面との間からオーバーフロー排水路に向けて空気が流入しやすくなるため、オーバーフロー口から排水される水に対するオーバーフロー排水路の排水性能を維持することができる。
【００１２】
本発明において、ホース収納水受け排水手段は、オーバーフロー口よりも上方に位置することが好ましい。
このように構成された本発明の洗面化粧台においては、洗面ボウル内に吐水される流量がオーバーフロー口から排水されるオーバーフロー排水路の排水量を大きく上回り、オーバーフロー排水路が満水状態となっても、ホース収納水受け排水手段がオーバーフロー口よりも上方に位置しているため、ホース収納水受け排水手段からの水漏れを防ぐことができる。
【発明の効果】
【００１３】
本発明の洗面化粧台によれば、洗面化粧台本体の一部に収納されるシャワーホースに付着した水滴を洗面化粧台本体の外部に容易に排水することができる。また、シャワーホースに付着した水滴を洗面化粧台本体の外部に排水する排水路に要する設置スペースを小さく設定することができる。さらに、洗面化粧台本体の組み付け施工を容易にすることができる。また、シャワーホース収納時においても洗面ボウルのオーバーフロー口からの排水の性能を維持することができる。
【発明を実施するための最良の形態】
【００１４】
以下、添付図面を参照して本発明の洗面化粧台の実施形態について説明する。
図１は本発明の第１実施形態による洗面化粧台を示す概略正面斜視図であり、図２は本発明の第１実施形態による洗面化粧台を示す背面図である。また、図３は、図２のIII−III断面斜視図である。
図１に示すように、本実施形態の洗面化粧台１は、その主要部を構成する洗面化粧台本体２を備え、この洗面化粧台本体２のカウンター面４には、シャワーヘッド部３０から吐水される湯または水を貯水する洗面ボウル６がその上端が開口するように配置されている。
また、洗面ボウル６の最下部には排水口８が形成され、この排水口８には下水側へ通ずる洗面ボウル排水路を形成する排水管１０が接続されている。
さらに、洗面ボウル６の内壁面における背面側上部には、オーバーフロー口１２が外側に貫くように形成され、洗面ボウル６内の水位がオーバーフロー口１２に達すると、洗面ボウル６内の水がオーバーフロー口１２より洗面ボウル６の外部に排水されて水位が制限されるようになっている。
また、洗面ボウル６の外側面上のオーバーフロー口１２の背面側の端部には、オーバーフロー口１２から流出した水のオーバーフロー排水路を形成する排水ホース１４が接続されており、この排水ホース１４の下端部は排水管１０の封水部（図示せず）の上流側に接続されている。なお、オーバーフロー排水路を形成する排水ホース１４は、洗面ボウル６の外側面上に一体形成されてもよいし、洗面ボウル６とは別体として構成してもよい。
【００１５】
また、洗面化粧台本体２のカウンター面４の後部から上方に延びる後部壁１６の上部には、シャワー水栓ユニット１８が設けられ、このシャワー水栓ユニット１８の上方には、洗面化粧台本体２の背面側から前方へ突出する棚１９が設けられている。
シャワー水栓ユニット１８は、給湯源（図示せず）から供給される給湯が流れる給湯管２０と給水源（図示せず）から供給される給水が流れる給水管２２を備え且つこれらによって供給される給湯と給水を混合して湯水の流量と温度を調節する操作レバー２３を含む湯水混合栓部２４と、この湯水混合栓部２４の出口部２６に後端が接続されたシャワーホース部２８と、このシャワーホース部２８の前端に接続された吐水部であるシャワーヘッド部３０によって構成されている。
さらに、シャワーヘッド部３０は、シャワーホース部２８が洗面化粧台本体２の背面側に設置されたトレイ３４内に収納された収納位置から前方へ引き出された引き出し位置（使用位置）までシャワーホース部２８と共に引き出し可能に洗面化粧台本体２の後部壁１６内に取り付けられている。なお、図３においては、洗面化粧台本体２から引き出して使用した状態のシャワーヘッド部３０とシャワーホース部２８を破線で示している。
【００１６】
つぎに、後部壁１６上端に設けられているシャワーヘッド部３０の取付部３２の背面側には、シャワーホースを収納し且つ水受け用として機能するトレイ３４が設けられている。シャワーヘッド部３０が取付部３２に取り付けられている状態では、シャワーホース部２８がトレイ３４内に収納されるようになっている。なお、トレイ３４については、後部壁１６の内部に組み込まれていてもよいし、棚１９の背面側の一部に組み込まれていてもよい。
また、図２に示すように、棚１９の背面側において、湯水混合水栓部２４と取付部３２に対応する位置には、トレイ３４内に向けて突出するガイド溝１９ａ，１９ｂが形成されている。このガイド溝１９ａ、１９ｂは、ヘッド部３０からトレイ３４側へ下り勾配になるように構成されており、洗面化粧台１の洗面ボウル６側でシャワーヘッド部３０から吐水を行っている際等に、湯水混合水栓部２４やシャワーヘッド部３０の取付部３２の正面側から隙間を浸入して背面側に流れ込んだ水は、ガイド溝１９ａ，１９ｂによってトレイ３４内へ導かれるようになっている。さらに、このガイド溝１９ａ，１９ｂによって、湯水混合水栓部２４やシャワーヘッド部３０の取付部３２のシール構造が不要となっている。
さらに、トレイ３４内の底面３５の一部には、下方に突出する水受け排水部３６が形成されている。トレイ３４内の底面３５は、水受け排水部３６が最も下端に位置するように斜め下方に傾斜しており、シャワーホース部２８に付着している水滴がトレイ３４内の底面３５に落下したり、シャワーヘッド部３０からシャワーホース部２８を伝わってトレイ３４内に流れ込んだ水が底面３５に流れると、これらの水が水受け排水部３６に集められ、この水受け排水部３６と排水ホース１４とを連通させ且つシャワーホース排水路を形成する連通管３８を介して排水ホース１４内に排水されるようになっている。ここで、水受け排水部３６はオーバーフロー口１２より上方に配置されるようになっている。なお、連通管３８は、排水ホース１４と一体的に形成されてもよいし、排水ホース１４とは別体として構成してもよい。
【００１７】
つぎに、上述した連通管３８の詳細について説明する。
図２及び図３に示すように、連通管３８においては、その下端部３８ａが、排水ホース１４の上端部が接続されるオーバーフロー口１２の背面側の端部近傍の接続部４０に接続され、上端開口部３８ｂが下端部３８ａから水受け排水部３６まで上方に延びている。ここで、接続部４０に接続されている連通管３８の下端部３８ａの流路断面（横断面）の大きさは、排水ホース１４の流路断面（横断面）の大きさよりも小さく設定されている。
また、水受け排水部３６の下端部３６ａは下方に突出しており、連通管３８の上端開口部３８ｂ内に挿入されている。
さらに、連通管３８の上端開口部３８ｂは、水受け排水部３６の排水路の流路断面の大きさに比べて大きく形成されており、上端開口部３８ｂの内周面とこの上端開口部３８ｂ内に挿入される水受け排水部３６の外周面との間には隙間４２が形成されている。すなわち、連通管３８の上端開口部３８ｂと水受け排水部３６の接続部は緩みを持たさせた非密着状態となっている（図３参照）。
また、連通管３８の上端開口部３８ｂは、これと対向する水受け排水部３６が形成されたトレイ３４の底面３５からわずかに離間して隙間４４が形成されている（図２参照）。すなわち、連通管３８の上端開口部３８ｂは、これらの隙間４２，４４によって大気開放されている。
さらに、連通管３８の上端開口部３８ｂは、洗面ボウル６の上面６ａ又はカウンター面４よりも上方に位置している。
【００１８】
つぎに、上述した本発明の第１実施形態による洗面化粧台の作用について説明する。
シャワー水栓ユニット１８のシャワーヘッド部３０から吐水を行った後、シャワーホース部２８がトレイ３４に収納されると、シャワーホース部２８の表面に付着している水滴がトレイ３４内の底面３５に落下したり、或いは、シャワーヘッド部３０からシャワーホース部２８を伝わってトレイ３４内に流れ込んだ水が底面３５に流れる。これらトレイ３４の底面３５に溜まった水は、水受け排水部３６に向かって傾斜した底面３５を流れて水受け排水部３６に集められ、水受け排水部３６から連通管３８内へ排水される。
水受け排水部３６から連通管３８内へ排水された水は、連通管３８の下端部３８ａ（接続部４０）より排水ホース１４内に排水され、この排水ホース１４を伝わって排水管１０内に流れ込んで洗面化粧台本体２の外部（下水側）へと排水される。
【００１９】
上述した本発明の第１実施形態による洗面化粧台１によれば、トレイ３４等に関するメンテナンスを行うことなく、トレイ３４内で受けた水を水受け排水部３６から連通管３８を経て排水ホース１４内に排水することができるため、洗面化粧台本体２の外部へ容易に排水させることができる。
また、本実施形態の洗面化粧台１によれば、連通管３８の下端部３８ａが排水ホース１４のオーバーフロー口１２背面側の端部近傍の接続部４０に接続されているため、水受け排水部３６と連通管３８に要する流路を短く設定することができ、これら水受け排水部３６、連通管３８、及び排水ホース１４に要する設置スペースを小さく設定することができる。
さらに、本実施形態の洗面化粧台１によれば、トレイ３４の水受け排水部３６の下端部３６ａが下方に延びて連通管３８の上端開口部３８ｂ内挿入されているため、トレイ３４内で受けた水を水受け排水部３６から連通管３８内に確実に排水させることができる。
また、本実施形態の洗面化粧台１によれば、連通管３８の上端開口部３８ｂは、水受け排水部３６の排水路の流路断面の大きさに比べて大きく形成されており、上端開口部３８ｂの内周面と水受け排水部３６の外周面との間に隙間４２が形成されている。さらに、連通管３８の上端開口部３８ｂは、これと対向する水受け排水部３６が形成されたトレイ３４の底面３５から離間して隙間４４が形成されている。したがって、これらの隙間４２，４４により、トレイ３４の水受け排水部３６と連通管３８の上端開口部３８ｂとの組み付け施工の際に、連通管３８の上端開口部３８ｂに水受け排水部３６を容易に挿入し、連通管３８の上端開口部３８ｂと水受け排水部３６の相対位置を容易に調整して接続することができ、施工が容易となる。
さらに、本実施形態の洗面化粧台１によれば、オーバーフロー口１２から流出する水が排水ホース１４を通過して排水される際に、この排水の流れによって連通管３８内の流路に圧力変化が生じる。この結果、連通管３８の上端開口部３８ｂにおける周囲の隙間４２，４４から空気を引き込むような負圧が発生し、この負圧によって、連通管３８の上端開口部３８ｂから連通管３８内に十分な空気が流入する。また、これら連通管３８内に流入した空気は、接続部４０から排水ホース１４内に流入すると、オーバーフロー口１２から排水管１０への排水の圧送に寄与するため、排水ホース１４の排水性能を十分に維持することができる。また、洗面ボウル６内へ大量の水が吐水されて満水となってオーバーフロー口１２から流出した水が排水ホース１４へ排水されている状態であって、トレイ３４の水受け排水部３６がシャワーホース部２８によって閉鎖されてしまっている場合や水受け排水部３６からも連通管３８へ大量の水が流れてその流路が排水で満たされている場合であっても、常に隙間４２，４４から連通管３８内へ空気が流入可能となるため、排水ホース１４によるオーバーフロー排水の排水性能を維持することができる。
また、本実施形態の洗面化粧台１によれば、連通管３８の上端開口部３８ｂが洗面ボウル６の上面６ａ又はカウンター面４よりも上方に位置しているため、万一洗面ボウル６内に吐水される流量がオーバーフロー口１２から排水される排水ホース１４にの排水量を大きく上回り、排水ホース１４の流路が満水状態となっても、連通管３８の上端開口部３８ｂ付近まで水位が達する前に洗面ボウル６からの水漏れを確認することができる。また、排水ホース１４や連通管３８の周囲、或いは洗面化粧台本体２の内部が水浸しになるの防ぐことができる。
さらに、本実施形態の洗面化粧台１によれば、接続部４０に接続されている連通管３８の下端部３８ａの流路断面（横断面）の大きさが排水ホース１４の流路断面（横断面）の大きさよりも小さく設定されている。したがって、オーバーフロー口１２から大量に排水されても、連通管３８の下端部３８ａよりも流路断面が大きい排水ホース１４へ優先的に排水させることができ、このオーバーフローによる排水は、連通管３６の下端部３８ａから流入して上方へ逆流しにくくなる。また、オーバーフロー口１２から排水ホース１４に排水が流れ込んでいる状態では、連通管３８の下端部３８ａから排水ホース１４の流路内に引き込もうとする負圧が発生しているが、連通管３８の下端部３８ａの流路断面（横断面）の大きさが排水ホース１４の流路断面（横断面）の大きさよりも小さく設定されているため、この連通管３８の下端部３８ａから排水ホース１４の流路内に引き込もうとする負圧の効果（エジェクタ効果）をさらに高めることができる。さらに、このエジェクタ効果によって、隙間４２，４４から連通管３８内に空気が吸引されるため、これらの吸引された空気によって、排水ホース１４内におけるオーバーフロー排水の排水性能を維持することができる。
【００２０】
なお、上述した本実施形態の洗面化粧台１については、一例として、シャワーホース部２８とシャワーヘッド部３０を含むシャワー水栓ユニット１８を備えた形態について説明したが、シャワー水栓ユニット以外にも、一本状の吐水を行う吐水部とこの吐水部を一端に備えたホース部によって構成される水栓ユニットにおいても適用可能である。
また、本実施形態の洗面化粧台１では、トレイ３４内の水が水受け排水部３６から連通管３６を経て排水ホース１４に排水されるように構成された形態について説明したが、このような形態に限定されず、トレイ３４内の水が水受け排水部３６から連通管３８を経てオーバーフロー口１２側へ流されて洗面ボウル６内に排水されるように構成してもよい。
【００２１】
つぎに、本発明の第２実施形態による洗面化粧台について説明する。
図４は、本発明の第２実施形態による洗面化粧台を示す、図３と同様な側面断面斜視図である。ここで、図４において、図３に示す第１実施形態の洗面化粧台の構成部分と同一の部分については同一の符号を付し、これらの説明は省略する。
図４に示すように、本実施形態の洗面化粧台５０においては、連通管５２の下端部５２ａが排水ホース１４とは別に独立の排水ホース５４の上端部に接続され、この排水ホース５４の下端部が排水管１０の封水部（図示せず）より上流側に接続されている構成が第１実施形態の洗面化粧台１の構成と異なっている。
また、連通管５２の上端開口部５２ｂとトレイ３４の水受け排水部３６との接続部は、第１実施形態の洗面化粧台１と同様に、連通管３８の上端開口部３８ｂとトレイ３４の水受け排水部３６との接続部と同様な構成となっている。
【００２２】
上述した本発明の第２実施形態の洗面化粧台５０によれば、第１実施形態の洗面化粧台１と同様に、トレイ３４等に関するメンテナンスを行うことなく、トレイ３４内で受けた水を水受け排水部３６から連通管５２を経て排水ホース５４内に排水し、排水管１０から洗面化粧台本体２の外部へ容易に排水させることができる。
また、本実施形態の洗面化粧台５０によれば、トレイ３４の水受け排水部３６の下端部３６ａが下方に延びて連通管５２の上端開口部５２ｂ内に挿入されているため、トレイ３４内で受けた水を水受け排水部３６から連通管５２内に確実に排水させることができる。
さらに、本実施形態の洗面化粧台５０によれば、連通管５２の上端開口部５２ｂは、水受け排水部３６の排水路の流路断面の大きさに比べて大きく形成されており、上端開口部５２ｂの内周面と水受け排水部３６の外周面との間に隙間４２が形成されている。さらに、連通管５２の上端開口部５２ｂは、これと対向する水受け排水部３６が形成されたトレイ３４の底面３５から離間して隙間４４が形成されている。したがって、これらの隙間４２，４４により、トレイ３４の水受け排水部３６と連通管５２の上端開口部５２ｂとの組み付け施工の際に、連通管５２の上端開口部５２ｂに水受け排水部３６を容易に挿入し、連通管５２の上端開口部５２ｂと水受け排水部３６の相対位置を容易に調整して接続することができ、施工が容易となる。
【図面の簡単な説明】
【００２３】
【図１】本発明の第１実施形態による洗面化粧台を示す概略正面斜視図である。
【図２】本発明の第１実施形態による洗面化粧台を示す背面図である。
【図３】図２のIII−III断面斜視図である。
【図４】本発明の第２実施形態による洗面化粧台を示す、図３と同様な側面断面斜視図である。
【符号の説明】
【００２４】
１，５０  洗面化粧台
２  洗面化粧台本体
４  カウンター面
６  洗面ボウル
６ａ  洗面ボウルの上面
８  排水口
１０  排水管
１２  オーバーフロー口
１４，５４  排水ホース
１６  後部壁
１８  シャワー水栓ユニット
１９  棚
２０  給湯管
２２  給水管
２４  湯水混合栓部
２６  湯水混合栓部の出口部
２８  シャワーホース部
３０  シャワーヘッド部
３２  シャワーヘッド部の取付部
３４  トレイ
３６  水受け排水部
３８，５２  連通管
３８ａ，５２ａ  連通管の下端部
３８ｂ，５２ｂ  連通管の上端開口部
４０  連通管と排水ホースの接続部
４２，４４  隙間
【図１】
0004683379.tif 000002
【図２】
0004683379.tif 000003
【図３】
0004683379.tif 000004
【図４】
0004683379.tif 000005